(57)【特許請求の範囲】
【請求項１】
密閉状態の水槽に排ガスを導入する排ガス送風管と排ガスを送り出す排ガス送り出し管とを夫々設けて前記水槽に導入した排ガス中の煤煙及び有害物質を水溶分離するように構成し、この水槽の水を排出する排出管を設け、この排出管に循環ポンプを設けて水を再度水槽に導入するように構成すると共に、この排出管に水を冷却する熱交換機と水を濾過する濾過装置とを夫々設けたことを特徴とする排ガス中の煤煙及び有害物質を除去する装置。
【請求項２】
前記ガス送風管に排ガスを泡状にして水中に導入する排ガス吹き出し管を設けたことを特徴とする請求項１記載の排ガス中の煤煙及び有害物質を除去する装置。
【請求項３】
前記水槽に金網を設けて前記水槽に導入した排ガスが金網にぶつかるように構成したことを特徴とする請求項１，２のいずれか１項に記載の排ガス中の煤煙及び有害物質を除去する装置。
【請求項４】
前記水槽を三室に仕切り、仕切られた各水槽を前記排ガスが順次通過するように構成したことを特徴とする請求項１〜３のいずれか１項に記載の排ガス中の煤煙及び有害物質を除去する装置。
【請求項５】
前記濾過装置を、石灰石濾過フィルターと、粒子の荒い活性炭フィルターと、粒子の細かい活性炭フィルターとによって構成したことを特徴とする請求項１〜４のいずれか１項に記載の排ガス中の煤煙及び有害物質を除去する装置。
【発明の詳細な説明】
【０００１】
【発明の属する技術分野】
本発明は、産業廃棄物及び一般廃棄物の焼却部門において発生する排ガスと煤煙の除去及び浄化装置に関するものである。
【０００２】
【従来の技術及び発明が解決しようとする課題】
排ガスから煤煙や有害物質を除去する装置は、従来、散水方式のもの、電気集塵式のもの、サイクロンを用いたものが採用されている。しかし、これらの装置は、いずれもコストが高くつくという問題点がある。
【０００３】
また、散水方式のものでは、煤煙や塩素などが大気汚染基準ぎりぎりという状態で排ガスに散水し、煤煙，塩素，二酸化硫黄，二酸化窒素等を溶け込ませようとする為、大量の水を必要としているという問題点がある。
【０００４】
本発明は、煤煙の除去、排ガス中の硫黄化物，窒素化合物，塩素化合物等の除去、及び有害物質の浄化を確実に行い、且つ、装置全体のコストダウンを達成しようとするものである。
【０００５】
【課題を解決するための手段】
添付図面を参照して本発明の要旨を説明する。
【０００６】
密閉状態の水槽１に排ガスを導入する排ガス送風管２と排ガスを送り出す排ガス送り出し管５とを夫々設けて前記水槽１に導入した排ガス中の煤煙及び有害物質を水溶分離するように構成し、この水槽１の水を排出する排出管７を設け、この排出管７に循環ポンプ１２を設けて水を再度水槽１に導入するように構成すると共に、この排出管７に水を冷却する熱交換機８と水を濾過する濾過装置１０とを夫々設けたことを特徴とする排ガス中の煤煙及び有害物質を除去する装置に係るものである。
【０００７】
また、前記ガス送風管２に排ガスを泡状にして水中に導入する排ガス吹き出し管を設けたことを特徴とする請求項１記載の排ガス中の煤煙及び有害物質を除去する装置に係るものである。
【０００８】
また、前記水槽１に金網６を設けて前記水槽１に導入した排ガスが金網６にぶつかるように構成したことを特徴とする請求項１，２のいずれか１項に記載の排ガス中の煤煙及び有害物質を除去する装置に係るものである。
【０００９】
また、前記水槽１を三室に仕切り、仕切られた各水槽１を前記排ガスが順次通過するように構成したことを特徴とする請求項１〜３のいずれか１項に記載の排ガス中の煤煙及び有害物質を除去する装置に係るものである。
【００１０】
また、前記濾過装置１０を、石灰石濾過フィルター１０−１と、粒子の荒い活性炭フィルター１０−２と、粒子の細かい活性炭フィルター１０−３とによって構成したことを特徴とする請求項１〜４のいずれか１項に記載の排ガス中の煤煙及び有害物質を除去する装置に係るものである。
【００１１】
【発明の実施の形態】
好適と考える本発明の実施の形態（発明をどのように実施するか）を、図面に基づいてその作用効果を示して説明する。
【００１２】
水槽１に排ガスを導入すると、水との接触によって排ガス中の煤煙や水溶性有害物質が水に取り込まれ、排ガスがきれいになる。
【００１３】
水槽１中の水は、循環ポンプ１２によって循環される。
【００１４】
この循環の際、熱交換機８によって水が冷却されることで水に取り込まれていた煤煙や有害物質が水から分離され易くなり、この水が濾過装置１０を通過することで、前記煤煙や有害物質が良好に分離される。
【００１５】
この濾過装置１０を通過した水を再度水槽１に導入することにより、使用する水量を抑えることができ、コストダウンを達成できる。
【００１６】
【実施例】
本発明の具体的な実施例について図面に基づいて説明する。
【００１７】
本実施例は、水槽１の水中に排ガスを細かい気泡状にして放出し、排ガス内の煤煙と水に溶け易い物質を溶かす方式であり、水槽１は三室に仕切られ、排ガスを三回水中に潜らせて煤煙と水溶物質を除去する装置である。
【００１８】
また、熱交換機８で水槽１内の水溶液を濾過し易くする為、水溶液の温度を下げ、水溶液濾過装置１０で濾過し、循環ポンプ１２で水槽１に戻すように構成している。
【００１９】
また、水溶液濾過装置１０の濾過システムは、石灰石濾過フィルター１０−１、粒子の荒い活性炭濾過フィルター１０−２、粒子の細かい活性炭濾過フィルター１０−３により構成している。
【００２０】
図１及び図４に示すように、排ガスを、排ガス送風管２で水槽１に潜し、第二次排ガス管３でもう一度水槽１に潜し、第三次排ガス管４で再度水槽１に潜し、排ガス送り出し管５で送り出す。
【００２１】
図２に示すように、排ガス送風管２は、排ガスを、第一分管２−１，第二分管２−２，第三分管２−３の三管に分けてから水槽１に送り込むように構成している。第二次排ガス管３及び第三次排ガス管４も同様である（夫々、第一分管３−１，第二分管３−２，第三分管３−３、及び、第一分管４−１，第二分管４−２，第三分管４−３。）。
【００２２】
図３に示すように、各分管２−１・２−２・２−３・３−１・３−２・３−３・４−１・４−２・４−３には、夫々、排ガスを泡状にして水中に排出する吹き出し管２−４・２−５・２−６・３−４・３−５・３−６・４−４・４−５・４−６を連結している。
【００２３】
図５に示すように、水槽１には金網６を設けている。この金網６に泡状の排ガスがぶつかることで更に微細化し、前記煤煙や水溶物質が水に溶け易くなる。また、水槽１には、この金網６が三枚設けてある（夫々、符号６−１・６−２・６−３）。従って、排ガスは金網６に三回繰り返してぶつかり、前記煤煙や水溶物質が水により一層溶け易くなる。
【００２４】
以上の構成により、排ガスの処理において水槽１の水中に排ガスを噴出し、煤煙や排ガスに含まれている水に溶け易い物質を溶かし込む。この際、排ガスは高温の為、水槽１の水の温度も上昇し、水槽１内の圧力も上がり、前記物質（有害物質）がより一層水に溶け易くなる。
【００２５】
図６に示すように、水槽１の水溶液が排出管７より熱交換機８を通り冷却され、水溶液濾過装置１０により濾過されて浄化され、その後、循環ポンプ１２を経て吸水管１３から元の水槽１に戻るように構成している。
【００２６】
図７に示すように、排出管７から排出された水溶液は、熱交換機８の第一配管８−１及び第二配管８−２を通過せしめられ、この第一配管８−１及び第二配管８−２を夫々冷却する第一冷却ファン１４−１及び第二冷却ファン１４−２からの送風により冷却されるように構成されている。また、この熱交換機８で発生する温風は、その他の施設に利用する。
【００２７】
図９及び図１０に示すように、水溶液濾過装置１０は三層に区切られている。一層目は酸性の水溶液を中和濾過する為の石灰石濾過フィルター１０−１が採用され、二層目は水溶液の有害物質をある程度まで吸着濾過する為の粒子の荒い活性炭フィルター１０−２が採用され、三層目は水溶液の有害物質を完全に吸着濾過する為の粒子の細かい活性炭フィルター１０−３が採用されている。
【００２８】
以上の構成により、飽和状態（有害物質が水溶された状態）の水溶液を熱交換機８で冷却すると、飽和されていた物質が水溶液から分離され易くなり、更に、水溶液濾過装置１０の石灰石濾過フィルター１０−１で濾過する際、酸性化されていた水溶液が中和されることになり、更に、粒子の荒い活性炭フィルター１０−２で濾過される際、活性炭の表面の小さな穴の吸着作用により不純物が濾過分離されることになり、更に、粒子の細かい活性炭フィルター１０−３での再度の濾過により、不純物が完全に濾過分離されることになる。
【００２９】
この濾過によってきれいになった水は、循環ポンプ１２により元の水槽１に戻す。尚、循環ポンプ１２の吸水口と排水口には水の逆流を防ぐ為の逆流防止弁を設けている。
【００３０】
【発明の効果】
本発明は上述のように構成したから、下記の効果が発揮される。
【００３１】
装置の製作費用を従来の物より低コストとすることができる。
【００３２】
従来の物より排水処理が簡易で且つ排水量を最小にできる。
【００３３】
従来の物より排ガスがより一層きれいになり、従来困難だったシュレッダーダスト等の排ガスも、排出基準以下に抑えることができる。
【図面の簡単な説明】
【図１】本実施例の水槽１の説明平面図である。
【図２】本実施例の水槽１の説明平断面図である。
【図３】本実施例の水槽１の底部付近の説明平断面図である。
【図４】本実施例の水槽１の説明側面図である。
【図５】本実施例の水槽１の説明側断面図である。
【図６】本実施例の説明全体図である。
【図７】本実施例の熱交換機８付近の説明図である。
【図８】本実施例の濾過装置１０の説明側面図である。
【図９】本実施例の濾過装置１０の説明側断面図である。
【図１０】本実施例の濾過装置１０の説明平断面図である。
【符号の説明】
１  水槽
２  排ガス送風管
５  排ガス送り出し管
６  金網
７  排出管
８  熱交換機
１０  濾過装置
１０−１  石灰石濾過フィルター
１０−２  活性炭フィルター
１０−３  活性炭フィルター
１２  循環ポンプ
【図１】
0003761963.tif 000002
【図２】
0003761963.tif 000003
【図３】
0003761963.tif 000004
【図４】
0003761963.tif 000005
【図５】
0003761963.tif 000006
【図６】
0003761963.tif 000007
【図７】
0003761963.tif 000008
【図８】
0003761963.tif 000009
【図９】
0003761963.tif 000010
【図１０】
0003761963.tif 000011